(57)【要約】【課題】  斜め穿刺を行い易く、薬液の漏れを防止できるマイクロニードルユニットを提供すること。【解決手段】  薬液供給装置に接続されるルアコネクタと、上記ルアコネクタの先端に設けられ１個又は複数個のマイクロニードルをアレイ状に備えたマイクロニードルアレイと、を具備し、上記マイクロニードルアレイは上記ルアコネクタの横断面方向において該ルアコネクタの側面側に偏った位置に設置されていて、上記マイクロニードルアレイのマイクロニードルの薬液流出口は上記ルアコネクタの側面と平行に開口しているもの。【選択図】  図４
2015198786.tif 000002
【特許請求の範囲】
【請求項１】
薬液供給装置に接続されるルアコネクタと、
上記ルアコネクタの先端に設けられ１個又は複数個のマイクロニードルをアレイ状に備えたマイクロニードルアレイと、
を具備し、
上記マイクロニードルアレイは上記ルアコネクタの横断面方向において該ルアコネクタの側面側に偏った位置に設置されていて、
上記マイクロニードルアレイのマイクロニードルの薬液流出口は上記ルアコネクタの側面と平行に開口していることを特徴とするマイクロニードルユニット。
【請求項２】
請求項１記載のマイクロニードルユニットにおいて、
上記マイクロニードルアレイは少なくとも上記ルアコネクタの先端において横断面方向に最も偏った位置に設置されていて、
上記マイクロニードルアレイのマイクロニードルの薬液流出口は上記側面と面一又は側面より突出・配置されていることを特徴とするマイクロニードルユニット。
【請求項３】
請求項１又は請求項２記載のマイクロニードルユニットにおいて、
上記ルアコネクタは平坦な側面を備えていて、上記マイクロニードルアレイは上記平坦な側面側に最も偏った位置に設置されていることを特徴とするマイクロニードルユニット。
【請求項４】
請求項１〜請求項３の何れかに記載のマイクロニードルユニットにおいて、
上記ルアコネクタの側面側に偏った位置に設置されているマイクロニードルアレイとは別のマイクロニードルアレイが設置されていることを特徴とするマイクロニードルユニット。
【請求項５】
請求項１〜請求項４の何れかに記載のマイクロニードルユニットにおいて、
上記マイクロニードルアレイは２つのマイクロニードルアレイ要素を貼り合せて構成されていることを特徴とするマイクロニードルユニット。
【請求項６】
請求項５記載のマイクロニードルユニットにおいて、
上記マイクロニードルアレイの２つのマイクロニードルアレイ要素の内上記ルアコネクタ側の一方のマイクロニードルアレイ要素は上記ルアコネクタと一体に設けられていることを特徴とするマイクロニードルユニット。
【請求項７】
請求項６記載のマイクロニードルユニットにおいて、
他方のマイクロニードルアレイ要素はシート状又はシール状のものであることを特徴とするマイクロニードルユニット。
【発明の詳細な説明】
【技術分野】
【０００１】
本発明は、例えば、注射装置の一部として用いられるマイクロニードルユニットに係り、特に、斜め穿刺を行い易くし、薬液の漏れを防止できるように工夫したものに関する。
【０００２】
従来のマイクロニードルユニットの構成を開示するものとして、例えば、特許文献１、特許文献２、特許文献３がある。
まず、特許文献１に記載された発明による「経皮投薬デバイス」は、デバイス本体の先端にニードル形成体が設置されており、このニードル形成体の表面に複数のマイクロニードルが形成されている。また、上記マイクロニードルのそれぞれ、又は、マイクロニードル間には、通液孔が形成されている。
【０００３】
又、特許文献２に記載された発明による「マイクロニードルアレイの製造方法とマイクロニードルアレイ構造体」は、マイクロニードルアレイ用基材の一方の面に複数のマイクロニードルが突出・形成されており、このマイクロニードルのそれぞれには、液体の流路としての貫通孔が形成されている。
【０００４】
さらに、特許文献３に記載された発明による「可撓性の生体障壁内への流体を供給するためのシステム及び方法」では、例えば、細長いブロック状の流体供給用補助器具の長さ方向先端側の下部に、長さ方向に向けて複数のマイクロニードルが突出・形成されている。
【先行技術文献】
【特許文献】
【０００５】
【特許文献１】特開２０１０−４６４７６号公報
【特許文献２】特開２０１１−７２６９５号公報
【特許文献３】ＷＯ２００６／０５４２８０号公報
【発明の概要】
【発明が解決しようとする課題】
【０００６】
上記従来の構成によると、次のような問題があった。
まず、特許文献１に記載された発明は、デバイス本体の先端にニードル形成体が設置されていて、このニードル形成体の表面に複数のマイクロニードルが均一に形成されているので、基本的には、垂直方向からの穿刺に使用されるものであり、皮膚に対して傾斜させた状態で穿刺を行う斜め穿刺には不向きであるという問題があった。
また、仮に、垂直方向から穿刺したとしても、全てのマイクロニードルが皮膚内に刺し込まれているとは限らず、刺し込まれていないマイクロニードルがある場合にはそこから薬液が漏れてしまうという問題もあった。
また、特許文献２に記載された発明も、マイクロニードルアレイ用基材の一方の面に複数のマイクロニードルが均一に突出・形成されているので、特許文献１に記載された発明の場合と同様、垂直方向からの穿刺に使用されるものであり、斜め穿刺には不向きであるという問題があった。
さらに、特許文献３に記載された発明の場合には、マイクロニードルが片側に寄った状態で設置されていて、一見、斜め穿刺に適した構成にはなっているが、マイクロニードルの薬液流出口が前方を向いており、且つ、マイクロニードルの側面に対して引っ込んだ位置に配置されているので、結局、特許文献１、特許文献２に記載された発明の場合と同様、斜め穿刺には不向きであった。
【０００７】
本発明はこのような点に基づいてなされたものでその目的とするところは、斜め穿刺を行い易く、且つ、薬液の漏れを防止することが可能なマイクロニードルユニットを提供することにある。
【課題を解決するための手段】
【０００８】
上記課題を解決するべく本願発明の請求項１によるマイクロニードルユニットは、薬液供給装置に接続されるルアコネクタと、上記ルアコネクタの先端に設けられ１個又は複数個のマイクロニードルをアレイ状に備えたマイクロニードルアレイと、を具備し、上記マイクロニードルアレイは上記ルアコネクタの横断面方向において該ルアコネクタの側面側に偏った位置に設置されていて、上記マイクロニードルアレイのマイクロニードルの薬液流出口は上記ルアコネクタの側面と平行に開口していることを特徴とするものである。
又、請求項２によるマイクロニードルユニットは、請求項１記載のマイクロニードルユニットにおいて、上記マイクロニードルアレイは少なくとも上記ルアコネクタの先端において横断面方向に最も偏った位置に設置されていて、上記マイクロニードルアレイのマイクロニードルの薬液流出口は上記側面と面一又は側面より突出・配置されていることを特徴とするものである。
また、請求項３によるマイクロニードルユニットは、請求項１又は請求項２記載のマイクロニードルユニットにおいて、上記ルアコネクタは平坦な側面を備えていて、上記マイクロニードルアレイは上記平坦な側面側に最も偏った位置に設置されていることを特徴とするものである。
又、請求項４によるマイクロニードルユニットは、請求項１〜請求項３の何れかに記載のマイクロニードルユニットにおいて、上記ルアコネクタの側面側に偏った位置に設置されているマイクロニードルアレイとは別のマイクロニードルアレイが設置されていることを特徴とするものである。
又、請求項５によるマイクロニードルユニットは、請求項１〜請求項４の何れかに記載のマイクロニードルユニットにおいて、上記マイクロニードルアレイは２つのマイクロニードルアレイ要素を貼り合せて構成されていることを特徴とするものである。
又、請求項６によるマイクロニードルユニットは、請求項５記載のマイクロニードルユニットにおいて、上記マイクロニードルアレイの２つのマイクロニードルアレイ要素の内上記ルアコネクタ側の一方のマイクロニードルアレイ要素は上記ルアコネクタと一体に設けられていることを特徴とするものである。
又、請求項７によるマイクロニードルユニットは、請求項６記載のマイクロニードルユニットにおいて、他方のマイクロニードルアレイ要素はシート状又はシール状のものであることを特徴とするものである。
【発明の効果】
【０００９】
以上述べたように本願発明の請求項１によるマイクロニードルユニットによると、薬液供給装置に接続されるルアコネクタと、上記ルアコネクタの先端に設けられ１個又は複数個のマイクロニードルをアレイ状に備えたマイクロニードルアレイと、を具備し、上記マイクロニードルアレイは上記ルアコネクタの横断面方向において該ルアコネクタの側面側に偏った位置に設置されていて、上記マイクロニードルアレイのマイクロニードルの薬液流出口は上記ルアコネクタの側面と平行に開口している構成になっているので、斜め穿刺を容易に行うことができる。また、薬液流出口の開口部が皮膚側に向けて開口されているので、斜め穿刺時の薬液の漏れを防止することができる。
又、請求項２によるマイクロニードルユニットによると、請求項１記載のマイクロニードルユニットにおいて、上記マイクロニードルアレイは少なくとも上記ルアコネクタの先端において横断面方向に最も偏った位置に設置されていて、上記マイクロニードルアレイのマイクロニードルの薬液流出口は上記側面と面一又は側面より突出・配置されている構成になっているので、上記効果をより確実なものとすることができ、特に、薬液流出口は上記側面と面一又は側面より突出・配置されているので、薬液の漏れを確実に防止することができる。
また、請求項３によるマイクロニードルユニットによると、請求項１又は請求項２記載のマイクロニードルユニットにおいて、上記ルアコネクタは平坦な側面を備えていて、上記マイクロニードルアレイは上記平坦な側面側に最も偏った位置に設置されている構成になっているので、上記効果をより高めることができる。
又、請求項４によるマイクロニードルユニットによると、請求項１〜請求項３の何れかに記載のマイクロニードルユニットにおいて、上記ルアコネクタの側面側に偏った位置に設置されているマイクロニードルアレイとは別のマイクロニードルアレイが設置されている構成になっているので、既に説明した効果を得ることができるとともに、それら複数のマイクロニードルを使用した多様な注射が可能になる。
又、請求項５によるマイクロニードルユニットによると、請求項１〜請求項４の何れかに記載のマイクロニードルユニットにおいて、上記マイクロニードルアレイは２つのマイクロニードルアレイ要素を貼り合せて構成されているので、上記マイクロニードルアレイを容易に製造することができる。
又、請求項６によるマイクロニードルユニットによると、請求項５記載のマイクロニードルユニットにおいて、上記マイクロニードルアレイの２つのマイクロニードルアレイ要素の内上記ルアコネクタ側の一方のマイクロニードルアレイ要素は上記ルアコネクタと一体に設けられている構成になっているので、上記マイクロニードルユニットの製造がより容易化されることになる。
又、請求項７によるマイクロニードルユニットによると、請求項６記載のマイクロニードルユニットにおいて、他方のマイクロニードルアレイ要素はシート状又はシール状のものであるので、ため、上記マイクロニードルユニットの製造がさらに容易化されることになる。
【図面の簡単な説明】
【００１０】
【図１】本発明の第１の実施の形態を示す図で、薬液供給装置とマイクロニードルユニットの分解斜視図である。
【図２】本発明の第１の実施の形態を示す図で、図２（ａ）はルアコネクタにマイクロニードルアレイを設置・固定した状態を表面側からみた斜視図、図２（ｂ）は同上の状態を裏返して示す斜視図である。
【図３】本発明の第１の実施の形態を示す図で、図２（ａ）のＩＩＩ−ＩＩＩ断面図である。
【図４】本発明の第１の実施の形態を示す図で、図３のマイクロニードルアレイを抽出して示す拡大断面図である。
【図５】本発明の第２の実施の形態を示す図で、ルアコネクタにマイクロニードルアレイを設置・固定した状態の縦断面図である。
【発明を実施するための形態】
【００１１】
以下、図１乃至図４を参照して本発明の第１の実施の形態について説明する。
この第１の実施の形態によるマイクロニードルユニット１は、図１に示すように、薬液供給装置としてのシリンジ３に着脱可能に取り付けられて使用される。上記マイクロニードルユニット１は、上記シリンジ３の先端に着脱可能に取り付けられるルアコネクタ５と、このルアコネクタ５の先端に設置・固定されたマイクロニードルアレイ７と、から構成されている。
また、上記ルアコネクタ５には、キャップ９が着脱可能に被冠される。
【００１２】
上記シリンジ３は、略中空円筒形状をなすシリンダ１１と、このシリンダ１１内に押込・引抜可能に挿入されたピストン１３と、から構成されている。上記シリンダ１１の先端（図１中左下側端）には、ルアコネクタ取付部１５が縮径された状態で突出・形成されている。このルアコネクタ取付部１５には、上記シリンダ１１の内部と外部とを連絡する貫通孔１７が形成されている。また、上記ルアコネクタ取付部１５は、先端側（図１中左下側）に向かうほど縮径されたテーパ形状となっている。
【００１３】
上記シリンダ１１の基端には鍔部１２が設けられていて、注射時にこの鍔部１２の裏側（図１中右側）に、例えば、右手のひと指し指と中指が掛けられることになる。又、ピストン１３の基端にも鍔部１４が設けられていて、注射時にこの鍔部１４の表側（図１中左側）に、例えば、右手の親指が掛けられることになる。
【００１４】
上記シリンダ１１内には薬液が充填・保持される。そして、上記ピストン１３を押し込むことにより、上記シリンダ１１内に充填・保持された薬液が上記貫通孔１７から押し出される。
【００１５】
上記ルアコネクタ取付部１５には、既に説明したように、上記ルアコネクタ５が着脱可能に取り付けられる。上記ルアコネクタ５は、図２に示すように、略半円柱形状を成していて、図３に示すように、内部には後端側（図３中右側）に開口された取付用凹部１９が形成されている。この取付用凹部１９に、上記シリンダ１１のルアコネクタ取付部１５が圧入されることになる。その際、上記ルアコネクタ取付部１５の先端面（図１中左下側の面）は、上記取付用凹部１９の先端側の面（図３中左側の面）に当接せず（図３中先端面を符号１５ａで示す。）、その結果、上記取付用凹部１９の先端側（図３中左側）に空間１８が形成されることになる。
【００１６】
また、上記ルアコネクタ５の先端側（図３中左側）であって、上記ルアコネクタ５の裏面側（図３中下側）に偏った位置には、マイクロニードルアレイ取付部２１が突出・形成されている。このマイクロニードルアレイ取付部２１には、裏面側（図３中下側）に向けて取付用凸部２３が突出・形成されている。この取付用凸部２３には表面側から裏面側に向かう方向（図３中上下方向）に取付用貫通孔２４が形成されている。
また、上記マイクロニードルアレイ取付部２１には、上記取付用凸部２３の先端側（図３中下側）及び取付用凹部１９側（図３中右側）に開口された流路２５が形成されている。
また、図２（ｂ）に示すように、上記ルアコネクタ５の裏面側（図２（ａ）中下側、図２（ｂ）中上側）の側面２６は、平面状に形成されている。
【００１７】
前記マイクロニードルアレイ７は、図４に示すように、第１分割要素３１と第２分割要素３３とを貼り合わせることによって構成されている。上記第１分割要素３１には、まず、第１分割要素本体３５があり、この第１分割要素本体３５の先端部（図４中左側）には、複数（この第１の実施の形態においては６本）のマイクロニードル用第１要素３７が突出・形成されている。また、上記第２分割要素３３の先端部（図４中左側）にも、上記マイクロニードル用第１要素３７に対応するように、複数（この第１の実施の形態においては６本）のマイクロニードル用第２要素３８が形成されている。上記マイクロニードル用第１要素３７に上記マイクロニードル用第２要素３８が貼り合わされることによって、複数（この第１の実施の形態においては６本）のマイクロニードル３９が構成されることになる。
また、これら６本のマイクロニードル３９は、図４中紙面垂直方向に一列のアレイ状に配置されているとともに、マイクロニードルアレイ７の裏面側（図４中下側）に最も偏った位置に配置されている。
【００１８】
また、上記第１分割要素本体３５の表面側（図４中上側）には、取付用凹部４１が形成されており、この取付用凹部４１の中央には、連結用凸部４３が突出・形成されている。
【００１９】
また、図４に示すように、上記マイクロニードル用第１要素３７の先端側（図４中左端側）には、矢じり部４５が形成されている。この矢じり部４５の裏面側（図４中下側）は、上記第１分割要素３１と上記第２分割要素３８との貼り合せ面４７から図４中下方に突出されている。
【００２０】
また、上記第１分割要素本体３５には、第１分割要素本体側流路５１が形成されている。この第１分割要素本体側流路５１は、上記第１分割要素本体３５の裏面側（図４中下側）に開口されている。
また、上記マイクロニードル用第１要素３７のそれぞれにも、裏面側（図４中下側）に開口されたマイクロニードル側流路５３（図４中破線で示す。）が形成されており、これらマイクロニードル側流路５３は上記第１分割要素本体側流路５１に集合・合流されている。
また、上記連結用凸部４３には連通路５５が形成されており、上記マイクロニードルアレイ７が上記ルアコネクタ５に設置・固定された際、この連通路５５によって、上記第１分割要素本体側流路５１と上記ルアコネクタ５の流路２５とが連通される。
【００２１】
また、上記マイクロニードル側流路５３の先端部（図４中左端側）以外の裏面側（図４中下側）の開口部と上記第１分割要素本体側流路５１の裏面側（図４中下側）の開口部は、上記第２分割要素３３によって閉塞されている。上記マイクロニードル側流路５３の先端部（図４中左端側）は、上記第２分割要素３３によって閉塞されておらず、この部分が薬液流出口５７となっている。また、上記薬液流出口５７は、図３に示すように、上記ルアコネクタ５の裏面側（図３中下側）の側面２６と平行に開口されている。
【００２２】
また、図３に示すように、上記マイクロニードルアレイ７が上記ルアコネクタ５に設置・固定された状態では、上記ルアコネクタ５の裏面側（図３中下側）の側面２６と、上記マイクロニードルアレイ７の第１分割要素３１と第２分割要素３８との貼り合せ面４７とが面一になっており、また、上記薬液流出口５７も上記ルアコネクタ５の裏面側（図３中下側）の側面２６と面一になっている。
また、上記第２分割要素３３は、図３に示すように、シート状の部材であり、例えば、熱溶着によって上記第１分割要素３１に貼り付けられる。
なお、上記第２分割要素３３をシール状の部材とし、上記第１分割要素３１に貼り付けるようにしてもよい。
【００２３】
上記マイクロニードルアレイ７は、上記連結用凸部４３が上記ルアコネクタ５の取付用貫通孔２４に圧入されることにより上記ルアコネクタ５に設置・固定される。また、このとき、図３に示すように、上記ルアコネクタ５の取付用凸部２３は上記マイクロニードルアレイ７の取付用凹部４１内に挿入される。また、上記マイクロニードルアレイ７は、上記ルアコネクタ５の裏面側（図３中下側）の最も偏った位置に設置されることになる。
【００２４】
前記キャップ９は、前述したように、上記ルアコネクタ５の先端側（図１中左下側）に着脱自在に被冠される。このとき、上記マイクロニードルアレイ７は上記キャップ９内にあり、上記キャップ９によって上記マイクロニードルアレイ７が保護される。
【００２５】
次に、この第１の実施の形態による作用について説明する。
上記マイクロニードルユニット１が使用される場合には、まず、キャップ９が取り外されて、マイクロニードルアレイ７が露出された状態となる。
次に、マイクロニードルアレイ７の複数のマイクロニードル３９を穿刺対象である図示しない皮膚に斜め方向から穿刺する（斜め穿刺）。すなわち、上記マイクロニードル３９の薬液流出口５７を上記図示しない皮膚側に向けた状態とし、上記マイクロニードル３９を上記図示しない皮膚の表面に対して傾斜させ、矢じり部４５側から上記図示しない皮膚に穿刺していく。
【００２６】
次に、シリンダ１１内に保持された薬液を上記マイクロニードル３９の先端の開口部５７から吐出させる。すなわち、ピストン１３を先端側（図１中左下側）押し込み、上記シリンダ１１内の薬液を貫通孔１７を介して、ルアコネクタ５側（図１中左下側）に押し出す。
上記ルアコネクタ５側へと押し出された薬液は、流路２５を通り、マイクロニードルアレイ７の連通路５５から、第１分割要素本体側流路５１に流入され、さらに、各マイクロニードル側流路５３へと流入される。そして、各薬液流出口５７から穿刺対象である図示しない皮膚内へと注射される。
【００２７】
次に、この第１の実施の形態による効果について説明する。
まず、本実施の形態によるマイクロニードルユニット１は斜め穿刺に好適なものとなっている。これは、マイクロニードルアレイ７が、ルアコネクタ５の裏面側（図３中下側）の最も偏った位置に設置・固定されていて、且つ、マイクロニードル３９がマイクロニードルアレイ７において裏面側（図３中下側）に最も偏った位置に配置されているからであり、さらに、各マイクロニードル３９の薬液流出口５７が、図３に示すように、上記ルアコネクタ５の裏面側（図３中下側）の側面２６と平行であって、上記側面２６と面一の状態で設けられているからである。また、上記マイクロニードル３９を皮膚等に穿刺した際、上記薬液流出口５７は裏面側（図３中下側）に開口されているため、上記マイクロニードル３９の先端側（穿刺方向側、図３中左側）に薬液流出口が開口された場合に比べて、上記薬液流出口５７が皮膚組織等によって詰まりにくい。
また、このような状態で斜め穿刺を行うと、上記マイクロニードル３９の薬液流出口５７が上記図示しない皮膚の内部側に指向された状態で刺し込まれるので、上記図示しない皮膚の外部への薬液の漏れを防止することができる。
また、ルアコネクタ５の上記マイクロニードルアレイ７が設置・固定されている側の側面は平坦面になっており、それも、斜め穿刺を容易にする一因になっている。
また、上記マイクロニードルユニット１は、シリンダ１１のルアコネクタ取付部１５が上記ルアコネクタ５の取付用凹部１９に圧入されることよってシリンジ３に接続されるため、上記マイクロニードルユニット１の上記シリンジ３への接続が容易である。
【００２８】
また、上記マイクロニードルアレイ７は、第１分割要素３１と第２分割要素３３を貼り合わせて構成されているため、容易に製造することができる。
また、上記第２分割要素３３はシート状又はシート状であるので、製造が容易であり、上記第１分割要素３１への貼り合わせも容易である。
【００２９】
次に、図５を参照して、本発明の第２の実施の形態を説明する。
この第２の実施の形態によるマイクロニードルユニットのルアコネクタ６１には、２つのマイクロニードルアレイ７、７が設置・固定されている。
【００３０】
上記ルアコネクタ６１は、前記第１の実施の形態におけるルアコネクタ５と同様に、略半円柱形状をなしている。上記ルアコネクタ６１には、前記第１の実施の形態におけるルアコネクタ５の取付用凹部１９と同様の取付用凹部６３が形成されている。
【００３１】
また、上記ルアコネクタ６１の裏側（図５中下側）の側面６５は、前記第１の実施の形態におけるルアコネクタ５の側面２６と同様に、平面状に形成されている。
また、上記ルアコネクタ６１の先端側（図５中左側）の裏面側（図５中下側）には、第１マイクロニードルアレイ取付部６７が形成されている。この第１マイクロニードルアレイ取付部６７は、上記ルアコネクタ６１の先端側（図５中左側）の裏面側（図５中下側）を切り欠いた凹部であり、前記第１の実施の形態におけるマイクロニードルアレイ取付部２１と同様に、取付用凸部６９が突出・形成されている。また、上記取付用凸部６９には、前記第１の実施の形態と同様に、表面側から裏面側に向かう方向（図５中上下方向）に取付用貫通孔７１が形成されている。
【００３２】
また、上記ルアコネクタ６１には、上記取付用凸部６９の先端側（図５中下側）及び取付用凹部６３側（図５中右側）に開口された第１流路７３が形成されている。
【００３３】
また、前記第１の実施の形態の場合と同様に、上記マイクロニードルアレイ７は、その連結用凸部４３を上記ルアコネクタ６１の上記取付用貫通孔７１に圧入されることにより、上記ルアコネクタ６１の第１マイクロニードルアレイ取付部６７に設置・固定される。
上記マイクロニードルアレイ７が上記第１マイクロニードルアレイ取付部６７に設置されると、前記第１の実施の形態の場合と同様に、上記ルアコネクタ６１の裏面側（図５中下側）の側面６５と、上記マイクロニードルアレイ７の第１分割要素３１と第２分割要素３８との貼り合せ面４７とが面一となり、上記マイクロニードルアレイ７の薬液流出口５７も上記ルアコネクタ６１の裏面側（図５中下側）の側面６５と面一になる。
また、上記薬液流出口５７は、図５に示すように、上記ルアコネクタ６１の裏面側（図５中下側）の側面６５と平行に開口されている。
【００３４】
また、上記ルアコネクタ６１の、上記第１マイクロニードルアレイ取付部６７より先端側（図５中左側）であって、表面側（図５中上側）には、第２マイクロニードルアレイ取付部７５が形成されている。この第２マイクロニードルアレイ取付部７５は、上記ルアコネクタ６１の上記第１マイクロニードルアレイ取付部６７より先端側（図５中左側）を切り欠いた凹部であり、前記第１の実施の形態におけるマイクロニードルアレイ取付部２１と同様に、取付用凸部７７が突出・形成されている。また、上記取付用凸部７７には、前記第１の実施の形態と同様に、表面側から裏面側に向かう方向（図５中上下方向）に取付用貫通孔７９が形成されている。
【００３５】
また、上記ルアコネクタ６１には、上記取付用凸部７７の先端側（図５中下側）及び第１流路７３側（図５中右側）に開口された第２流路８１が形成されている。
【００３６】
また、前記第１の実施の形態の場合と同様に、上記マイクロニードルアレイ７は、その連結用凸部４３を上記ルアコネクタ６１の上記取付用貫通孔７９に圧入されることにより、上記ルアコネクタ６１の第２マイクロニードルアレイ取付部７５に設置・固定される。
上記マイクロニードルアレイ７が上記第２マイクロニードルアレイ取付部７５に設置・固定されると、上記ルアコネクタ６１の裏面側（図５中下側）の側面６５と、上記マイクロニードルアレイ７の第１分割要素３１と第２分割要素３８との貼り合せ面４７とが平行になる。また、上記マイクロニードルアレイ７の薬液流出口５７は、図５に示すように、上記ルアコネクタ６１の裏面側（図５中下側）の側面６５と平行に開口されている。
【００３７】
また、図５に示すように、第１マイクロニードルアレイ取付部６７に取り付けられたマイクロニードルアレイ７の矢じり部４５の先端側（図５中左側）であって裏面側（図５中下側）の傾斜面と、第２マイクロニードルアレイ取付部７５に取り付けられたマイクロニードルアレイ７の矢じり部４５の先端側（図５中左側）であって裏面側（図５中下側）の傾斜面とが、一直線上に並ぶようになっている。また、このとき、上記マイクロニードルアレイ７、７のそれぞれ矢じり部４５、４５の先端側（図５中左側）であって裏面側（図５中下側）の傾斜面と上記ルアコネクタ６１の側面６５との傾斜角度は共にθ°に設定されている。
ちなみに、この第２の実施の形態の場合には、θ°は「３０°」に設定されている。
尚、その他の構成は前記第１の実施の形態の場合と同様であり、図中同一部分には同一符号を付して示しその説明は省略する。
【００３８】
以上、この第２の実施の形態によると、前記第１の実施の形態によるマイクロニードルユニット１と同様の作用・効果を奏することができる。
また、第２の実施の形態によるマイクロニードルユニットによると、２つのマイクロニードルアレイ７、７を同時に使用して、斜め穿刺を行うことができる。また、一度の注射で２つのマイクロニードルアレイ７、７を同時に使用できるため、より多くの薬液を広い範囲に注射することができる。
又、上記マイクロニードルアレイ７、７の矢じり部４５、４５の先端側（図５中左側）であって裏面側（図５中下側）の傾斜面と上記ルアコネクタ６１の側面６５との傾斜角度は共にθ°（この実施の形態では３０°）に設定されているので、両方のマイクロニードルアレイ７、７を使用して斜め穿刺を行う場合に、何れか一方のマイクロニードルアレイ７だけが刺し込まれるという事態の発生を防止することができる。
【００３９】
尚、本発明は前記第１の実施の形態や第２の実施の形態に限定されるものではない。
例えば、マイクロニードルアレイのマイクロニードルの数や配置には様々な場合が考えられる。
また、前記第１の実施の形態や第２の実施の形態の場合には、マイクロニードルアレイのマイクロニードルの薬液流出口をルアコネクタの裏面側の側面と面一の位置で開口させた例を説明したが、ルアコネクタの裏面側の側面よりさらに裏面側に突出させた位置に開口させるようにしてもよい。この場合には、薬液流出口が皮膚内にさらに深く刺し込まれることになるので、薬液の注入をより確実なものとすることができる。
また、マイクロニードルアレイを２つの分割要素から構成せずに、一体の部材として構成する場合も考えられる。
また、マイクロニードルアレイとルアコネクタとを、一体に構成する場合も考えられる。このとき、上記マイクロニードルアレイを第１分割要素と第２分割要素から構成している場合、上記第１分割要素と第２分割要素の何れか一方を上記ルアコネクタと一体に構成することが考えられる。
また、上記ルアコネクタの後端部を、ルアロック対応型のシリンジに接続可能な形状とすることも考えられる。この場合、例えば、上記ルアコネクタの後端部に、ルアロックが螺合される雌ネジ部が形成される。
また、本発明によるマイクロニードルユニットは、シリンジ以外の薬液供給装置に接続されることも考えられる。
その他、図示した構成はあくまで一例である。
【産業上の利用可能性】
【００４０】
本発明は、例えば、注射装置の一部として用いられるマイクロニードルユニットに係り、特に、斜め穿刺を行い易く、薬液の漏れを防止できるように工夫したものに関し、特に、経皮投薬に用いられる注射装置に好適である。
【符号の説明】
【００４１】
１  マイクロニードルユニット
３  シリンジ（薬液供給装置）
５  ルアコネクタ
７  マイクロニードルアレイ
２６  側面
３１  第１分割要素
３３  第２分割要素
３９  マイクロニードル
５７  薬液流出口
６１  ルアコネクタ
６５  側面
【図１】
2015198786.tif 000003
【図２】
2015198786.tif 000004
【図３】
2015198786.tif 000005
【図４】
2015198786.tif 000006
【図５】
2015198786.tif 000007